(57)【要約】【課題】  Ｘ線撮影作業者の利便性向上、長尺撮影に要する時間の短縮化、更には、被写体（患者）の不自由さ低減を図るデジタル式Ｘ線撮影装置を得る。【解決手段】  長尺撮影を行う際、撮影部位を分割して撮影するデジタル式Ｘ線撮影装置において、コリメーターの前面に備えられた照射口を有するマスク板と、コリメーターと被写体（患者）との間に介在し、Ｘ線の曝射の有無を検知するＸ線感知センサと、Ｘ線感知センサの出力に応じて、マスク板を移動させるマスク板移動手段を具備する。【選択図】  図５
2008043576.tif 000002
【特許請求の範囲】
【請求項１】
Ｘ線を照射するＸ線管と、前記Ｘ線管からの照射範囲を絞るコリメーターを備え、被写体の広範な部位の撮影（長尺撮影）を行う際、
長手方向において当該部位を複数に分割し、当該分割された各部位の各撮影を、撮影対象の部位以外にＸ線が曝射されないようにマスクしながら行い、当該撮影画像を平面検出器（ＦＰＤ：Flat Panel Detector）を用いて、電子画像データとして記録するデジタル式Ｘ線撮影装置において、
前記コリメーターの前面に備えられた照射口を有するマスク板と、
前記コリメーターと被写体との間に介在し、Ｘ線の曝射の有無を検知するＸ線感知センサと、前記Ｘ線感知センサの出力に応じて、前記マスク板を移動させるマスク板移動手段を
具備したことを特徴とするデジタル式Ｘ線撮影装置。
【請求項２】
Ｘ線感知センサは、Ｘ線を透過する透明樹脂板或いはガラス板を基材とし、前記基材の片面或いは両面にＸ線が曝射されると発光するＸ線用蛍光体が貼り付けられ、当該Ｘ線用蛍光体が貼り付けられた前記基材の全体が可視光線を遮光する遮光材で覆われた構成である
ことを特徴とする請求項１に記載のデジタル式Ｘ線撮影装置。
【請求項３】
マスク板は、両側面の所定の位置に複数の切欠部を備え、かつ、
マスク板移動手段は、前記マスク板の切欠部に係合する係合部と、前記切欠部に対し前記係合部を係合させる方向及び係合を解放する方向に、前記係合部を駆動させる駆動手段を備えた
ことを特徴とする請求項１乃至請求項２の何れかに記載のデジタル式Ｘ線撮影装置。
【請求項４】
マスク板は、マスク板摺動手段との係合が解放されると、自重により移動することを特徴とする請求項３に記載のデジタル式Ｘ線撮影装置。
【請求項５】
マスク板は、マスク板摺動手段との係合が解放されると、マスク板に付与された弾性力により移動することを特徴とする請求項３に記載のデジタル式Ｘ線撮影装置。
【請求項６】
係合部は磁性体で形成されており、
駆動手段は、前記係合部に螺旋状に巻き付けられた導線と、前記導線に電流を流す電源を有し構成された
ことを特徴とする請求項３乃至請求項５の何れかに記載のデジタル式Ｘ線撮影装置。
【発明の詳細な説明】
【技術分野】
【０００１】
本発明は、被写体（患者）に向けてＸ線曝射を行い、当該被写体（患者）の撮影画像を、半導体素子からなる平面検出器（ＦＰＤ：Flat Panel Detector）を用いて、電子画像データとして記録する、いわゆるデジタル式Ｘ線撮影装置に関し、特に、被写体（患者）の例えば全脊椎や全下肢等、広範な部位の撮影（長尺撮影という）を行う際に必要となる長手方向の分割撮影において、被写体（患者）に対する無駄なＸ線曝射をカットする為のマスク板の移動を自動で行うことが可能なデジタル式Ｘ線撮影装置に関する。
【背景技術】
【０００２】
従来のデジタル式Ｘ線撮影装置は、長尺撮影を行う際に必要となる長手方向の分割撮影において、撮影毎に、コリメーターの前面に取り付けられたスライド可能な、照射口を有したマスク板（鉛板）を手動によりスライドさせ、被写体（患者）に対する無駄なＸ線曝射をカットするものであった。（例えば、特許文献１参照）
【０００３】
【特許文献１】特表２００２−５３７０５０号公報
【発明の開示】
【発明が解決しようとする課題】
【０００４】
医療分野で利用されていたＸ線撮影装置（いわゆるレントゲン装置）は、銀塩フィルムを用いたフィルム撮影が広く利用されてきた。しかしながら、撮影画像の加工ができる等の利便性が求められる中、近年では、Ｘ線撮影した画像を電子的な画像データとして利用できる、いわゆるデジタル式Ｘ線撮影装置に置き換わってきている。
【０００５】
デジタル式Ｘ線撮影装置としては、例えば、特許文献１に示すデジタル式Ｘ線撮影装置の通り、Ｘ線管から被写体（患者）に向けて曝射されると、当該被写体（患者）の撮影画像を、半導体素子からなる平面検出器（ＦＰＤ：Flat Panel Detector）を用いて、電子的な画像データとして記録するものが知られている。
【０００６】
ところで、長尺撮影を行う場合、フィルム撮影では、長尺フィルムを用いることにより、１回のＸ線曝射で撮影が可能であった。しかしながら、デジタル式Ｘ線撮影（ＦＰＤ撮影という）では、ＦＰＤの大きさが限られており（１７インチ程度）、また、ＦＰＤが非常に高価な為、１つの画像を撮影するに当たり、撮影部位を分割し、２回若しくは３回のＸ線曝射を行うことが通常である。
【０００７】
このようなデジタル式Ｘ線撮影装置の性質の中、例えば、特許文献１に示すデジタル式Ｘ線撮影装置では、被写体（患者）に対する無駄なＸ線曝射をカットする為、撮影毎に、マスク板（鉛板）を手動によりスライドさせるものであった。
【０００８】
従って、撮影毎に、マスク板を手動でスライドさせる手間を要し、利便性の悪いものであった。また、１回の長尺撮影に対し、マスク板を手動でスライドさせる時間を要する為、撮影開始から撮影完了までの時間が長くなるという課題があった。更に、画像のブレ、画像合成（画像の繋ぎ合わせ）時のズレを抑制すべく、撮影中、被写体（患者）は、姿勢の静止を求められる為、長時間に渡り不自由を強いられるという課題があった。
【０００９】
本発明は、上述のような課題を解決する為になされたものであり、Ｘ線の曝射の有無を検知するセンサと、当該センサからの出力により、マスク板を自動でスライドさせる機構を備えることにより、Ｘ線撮影作業者の利便性向上、長尺撮影に要する時間の短縮化、更には、被写体（患者）の不自由さ低減が可能なデジタル式Ｘ線撮影装置を得るものである。
【課題を解決するための手段】
【００１０】
本発明に係るデジタル式Ｘ線撮影装置は、Ｘ線を照射するＸ線管と、Ｘ線管からの照射範囲を絞るコリメーターを備え、被写体の広範な部位の撮影（長尺撮影）を行う際、長手方向において当該部位を複数に分割し、当該分割された各部位の各撮影を、撮影対象の部位以外にＸ線が曝射されないようにマスクしながら行い、当該撮影画像を平面検出器（ＦＰＤ：Flat Panel Detector）を用いて、電子画像データとして記録するデジタル式Ｘ線撮影装置において、コリメーターの前面に備えられた照射口を有するマスク板と、コリメーターと被写体との間に介在し、Ｘ線の曝射の有無を検知するＸ線感知センサと、Ｘ線感知センサの出力に応じて、マスク板を移動させるマスク板移動手段を具備する。
【発明の効果】
【００１１】
本発明に係るデジタル式Ｘ線撮影装置においては、Ｘ線の曝射の有無を検知するセンサと、当該センサからの出力により、マスク板を自動でスライドさせる機構を備えることにより、Ｘ線撮影作業者の利便性向上、長尺撮影に要する時間の短縮化、更には、被写体（患者）の不自由さ低減が図れる。
【発明を実施するための最良の形態】
【００１２】
実施の形態１．
本発明におけるデジタル式Ｘ線撮影装置の特徴は、被写体（患者）における、例えば、全脊椎や全下肢等の長尺撮影を行う際、長手方向に撮影部位を複数に分割し、複数回の撮影を行う際、撮影対象の部位以外への無駄なＸ線曝射をカットするマスク板を、Ｘ線の曝射の有無を検知するＸ線感知センサの出力に応じて、自動的に移動させることにある。
【００１３】
従って、Ｘ線管の構造、コリメーターの構造、ＦＰＤの構造、ＦＰＤの移動機構等、本発明におけるデジタル式Ｘ線撮影装置は多分に公知技術を利用しており、これら公知技術の説明は簡略或いは省略しつつ、以下、本実施の形態１におけるデジタル式Ｘ線撮影装置について、説明する。
【００１４】
図１は、本発明を実施する為の実施の形態１におけるデジタル式Ｘ線撮影装置を用いた被写体（患者）の撮影状態を示す全体概略図である。本実施の形態１におけるデジタル式Ｘ線撮影装置は、一例として、長尺撮影を３分割して行う仕様としている。
【００１５】
図１において、１はＸ線を照射するＸ線管である。２はＸ線の照射範囲を調整するコリメーターである。Ｘ線管１の構造、コリメーター２の構造は、公知技術であり、説明を省略する。
【００１６】
３は自動絞りユニットであり、照射口を有するマスク板、マスク板を移動せしめるマスク板移動手段、マスク板移動手段に電力を供給する電源、Ｘ線の曝射の有無を検知するＸ線感知センサ等から構成されている。尚、自動絞りユニット３の構造については、詳細に後述する。
【００１７】
４は患者台であり、内部にＦＰＤ４ａと電気的に接続可能な３つの接点（後述する図３に示すＭＣ１、ＭＣ２、ＭＣ３）を有したＦＰＤ架台４ｂが設置された支柱４ｃが垂設されている。尚、ＦＰＤ架台４ｂは、支柱４ｃ内で図中Ｙ方向に移動可能である。このような患者台４は公知技術であり、詳細な説明は省略する。
【００１８】
５は被写体（以下、患者という）であり、例えば全脊椎のＸ線撮影が必要な場合には、コリメーター２にてＸ線の照射範囲を調整し、図中θで示すように、患者の広範な部位にＸ線を曝射させることができる。
【００１９】
図中Ｘは、患者５を患者台４に立たせた状態において、撮影範囲の中心軸である。即ち、Ｘ線管１、コリメーター２、自動絞りユニット３を一体に、図中Ｙ方向に移動せしめ、コリメーター２の中心を軸Ｘに略一致させる。また、同様に、ＦＰＤ架台４ｂも図中Ｙ方向に移動せしめ、ＦＰＤ架台４ｂの中心を軸Ｘに略一致させる。尚、ＦＰＤ架台４ｂの中心とは、ＦＰＤ４ａが３箇所の位置（後述する図３に示すＡ位置、Ｂ位置、Ｃ位置）におけるＢ位置に位置する際のＦＰＤ４ａの中心を意味する。このようなＸ線撮影時の初期位置設定の手法は公知技術であり、詳細な説明は省略する。
【００２０】
図２（ａ）は、患者台４の斜視図である。図２（ｂ）は、患者台４の裏面から見たＦＰＤ４ａの駆動機構を示す概念図である。
【００２１】
図２（ａ）及び（ｂ）に示す通り、ＦＰＤ４ａは、ガイドレール６に対し、摺動可能に保持され、支柱４ｃの上部に設置されたモーター８により、ねじ７が回転し、図中Ｙ方向に移動せしめることができる。このような移動機構は公知技術であり、詳細な説明は省略する。
【００２２】
図３は、ＦＰＤ４ａとＦＰＤ架台４ｂの接続状態を示す概念図である。
【００２３】
図３において、ＦＰＤ４ａは、図２（ａ）及び（ｂ）で説明した通り、図中Ｙ方向に移動せしめることができ、本実施の形態１では、上述した通り、長尺撮影を３分割して行う仕様である為、Ａ位置、Ｂ位置、Ｃ位置のそれぞれにＦＰＤ４ａを移動させ、Ｘ線撮影を行う。この時、各位置（Ａ位置、Ｂ位置、Ｃ位置）には、それぞれＦＰＤ４ａの駆動を停止させる為の接点ＭＣ１、ＭＣ２、ＭＣ３が設けられている。尚、Ａ位置、Ｂ位置、Ｃ位置は、ＦＰＤ４ａが各位置間でオーバーラップするように配置設計がなされている。このようなＦＰＤ４ａの移動機構は公知技術であり、詳細な説明は省略する。
【００２４】
図４は、コリメーター２の斜視図である。
【００２５】
図４において、２ａはＸ線管１から照射されるＸ線の照射口である。２ｂは自動絞りユニット３を係合保持する為のレールであり、図中上部から自動絞りユニット３をスライドさせて係合保持する。
【００２６】
図５は、自動絞りユニット３の斜視図である。
【００２７】
図５において、３ａは内部に後述するマスク板移動手段に電力供給する為の電源（図示せず）、及びマスク板移動手段を制御する為の制御回路（図示せず）を備えた収納体である。尚、本実施の形態１においては、マスク板移動手段に電力供給する為の電源は乾電池である。３ｂはコリメーター２におけるレール２ｂに係合されるレール挿入部である。
【００２８】
３ｃはマスク板９を図中矢印Ｙ方向に摺動可能に保持するマスク板保持レールである。尚、マスク板９は、Ｘ線の透過を遮断する鉛板であるが、所定の位置に、Ｘ線を透過させる為の照射口９ａを有している。
【００２９】
図６は、自動絞りユニット３の断面図である。
【００３０】
図６において、３ｄはＸ線感知センサ１０（構成の詳細は後述する）の保持板であり、自動絞りユニット３に対し、固定部３ｅにてねじ（図示せず）締結されている。尚、本実施の形態１においては、Ｘ線感知センサ１０は保持板３ｄに対し、接着固定されているが、これに限らず、ねじ固定、粘着固定等でも良い。また、本実施の形態１においては、自動絞りユニット３に対し、保持板３ｄをねじ（図示せず）締結させた構成としているが、これに限らず、接着固定、粘着固定、或いは、別体ではなく一体に構成しても良い。
【００３１】
図７は、保持板３ｄの斜視図である。
【００３２】
図７において、１１は光センサである。本実施の形態１におけるＸ線感知センサ１０は、後述する図８に示す通り、Ｘ線が照射されると発光するものであり、光センサ１１は、当該発光を検知するものである。
【００３３】
図８は、Ｘ線感知センサ１０並びに光センサ１１の構成図である。
【００３４】
図８において、１０ａは基材であり、本実施の形態１においては、Ｘ線の透過性を確保し、かつ、Ｘ線感知センサ１０が発光した光を光センサ１１まで導く為の導光体としての機能を有すべく、透明アクリル材にて形成しているが、これに限らず、ガラス材でも良い。
【００３５】
１０ｂは基材１０ａの両面に貼り付けられたＸ線用蛍光体であり、Ｘ線や可視光線が照射されると発光する性質を有する。本実施の形態１においては、Ｘ線用蛍光体は、Ｘ線用増感紙を使用している。尚、本実施の形態１においては、Ｘ線用蛍光体１０ｂを両面に貼り付けた構成としているが、片面のみに貼り付けた構成でも良い。このようなＸ線が照射されると発光する性質を有するＸ線用蛍光体（Ｘ線用増感紙）は公知技術である為、その成分等についての詳細な説明は省略する。
【００３６】
１０ｃはアルミフィルムであり、Ｘ線用蛍光体１０ｂが貼り付けられた基材１０ａの全体を覆うように貼付されている。アルミフィルム１０ｃで基材１０ａの全体を覆うことにより、可視光線が遮断され、光センサ１１はＸ線感知センサ１０が発光した光のみに反応するようにすることができる。また、Ｘ線感知センサ１０が発光した光を基材１０ａから外部空間に逃がさないようにすることができる。従って、基材１０ａを覆う為の材料はアルミニウム材に限られず、可視光線を透過せず、Ｘ線感知センサ１０の発光による光を吸収しない性質を有する材料であれば、何ら限定されるものではない。但し、生産性、コスト等を加味した場合、アルミフィルムが好材料と言える。
【００３７】
図９は、マスク板移動手段の構造を示す概略図である。
【００３８】
図９に示す通り、マスク板９の側面には、切欠部９ｂ、９ｃ、９ｄが形成されている。図９において、１２ａは切欠部９ｂ、９ｄと係合する係合部であり、磁性体で形成されている。尚、係合部１２ａは、マスク板９の側面に対し、コイルバネ（図示せず）による付勢力が付与された状態で圧接されている。１２ｂは切欠部９ｃと係合する係合部であり、磁性体で形成されている。尚、係合部１２ｂは、マスク板９の側面に対し、コイルバネ（図示せず）による付勢力が付与された状態で圧接されている。
【００３９】
１３ａ、１３ｂはそれぞれ係合部１２ａ、１２ｂに螺旋状に巻き付けられた導線であり、自動絞りユニット３の収納部３ａ（図５参照）に備えられた電源（図示せず）を制御することにより、電流が流れるように構成されている。
【００４０】
マスク板移動手段は、切欠部９ｂ、９ｃ、９ｄ、係合部１２ａ、１２ｂ、導線１３ａ、１３ｂから構成されている。即ち、導線１３ａ、１３ｂに所定の向きに電流を流すことにより、磁性体からなる係合部１２ａ、１２ｂを、フレミングの左手の法則による力を利用し、上述したマスク板９の側面への付勢力に逆らいながら、切欠部９ｂ、９ｃ、９ｄとの係合を解放する方向に移動せしめるように、係合部１２ａ、１２ｂの駆動手段を構成し、係合が解放されると、マスク板９の自重落下により、図９（ａ）に示す位置から図９（ｂ）に示す位置、図９（ｂ）に示す位置から図９（ｃ）に示す位置に移動させることができる。尚、導線１３ａ、１３ｂに流す電流をゼロ（ＯＦＦ）にすると、フレミングの左手の法則による力は無くなる為、係合部１２ａ、１２ｂに付与されている付勢力により、係合部１２ａ、１２ｂはマスク板９の側面に圧接される。
【００４１】
図１０は、Ｘ線管１からのＸ線曝射、ＦＰＤ４ａの駆動（上下移動）、光センサ１１からの出力、導線１３ａ、１３ｂの電流ＯＮ／ＯＦＦ、並びにマスク板９の位置を示すタイミングチャート図である。
【００４２】
以下、本実施の形態１におけるデジタル式Ｘ線撮影装置の動作（撮影開始から撮影完了まで）について、概略を簡単に説明する。
【００４３】
患者５の長尺撮影時、まず、図１に示す通り、患者５を患者台４に立たせ、直立した状態で姿勢の静止を強いる。そして、上述の通り、Ｘ線管１、コリメーター２、自動絞りユニット３を一体に、また、ＦＰＣ架台４ｂを図１に示すＹ方向に移動せしめ、撮影範囲の中心（図１に示す軸Ｘ）に合わせる。そして、ＦＰＤ４ａを図３に示すＡ位置、Ｂ位置、Ｃ位置へと順次移動させ、分割撮影を行いながら、撮影を完了する。このような動作は、公知技術であり、詳細な説明を省略する。
【００４４】
次に、ＦＰＤ４ａを自動で移動させる機構について、図９、図１０を用いて説明する。
【００４５】
図１０に示す通り、撮影開始時、ＦＰＤ４ａはＡ位置（図３参照）にあり、マスク板９は、図９（ａ）に示す位置にあり、照射口９ａがＡ位置に対応する。尚、この時、マスク板９は、図９（ａ）に示す通り、係合部１２ａが切欠部９ｂに係合され、自重落下することなく、位置固定されている。
【００４６】
Ａ位置において、Ｘ線撮影が完了すると、Ｘ線管１はＯＦＦする。尚、Ｘ線管１がＯＮ、即ち、Ｘ線が曝射されているときは、Ｘ線感知センサ１０は発光する為、当該発光を光センサ１１は検知し、光センサ１１はＯＮ信号を出力している。
【００４７】
Ａ位置において、Ｘ線撮影が完了し、Ｘ線管１がＯＦＦされると、ＦＰＤ４ａは駆動し、Ａ位置からＢ位置に移動する。このようなＸ線管１のＯＮ／ＯＦＦとＦＰＤ４ａの移動との同期は公知技術であり、詳細な説明を省略する。
【００４８】
Ｘ線管１がＯＦＦされると、同様に、光センサ１１もＯＦＦとなる為、自動絞りユニット３の収納部３ａ（図５参照）に備えられた制御回路（図示せず）は、光センサ１１の出力がＯＦＦであることを検知し、収納部３ａに収納された電源（図示せず）を制御し、導線１３ａに電流を流す。図１０においては、導線１３ａに電流を流すことを、Ｓ１がＯＮとして示している。尚、同様に、図１０においては、導線１３ｂに電流を流すことを、Ｓ２がＯＮとして示している。
【００４９】
導線１３ａに電流が流れると、上述した通り、フレミングの左手の法則により、係合部１２ａは図９（ａ）において矢印Ｌ方向に移動し、切欠部９ｂとの係合が解放される。そして、マスク板９は、自重落下し、図９（ｂ）の位置で止まる。即ち、上述した通り、係合部１２ａ、１２ｂはコイルバネ（図示せず）による付勢力が付与された状態でマスク板９の側面に圧接されている為、マスク板９が自重落下している際、係合部１２ｂはマスク板９の側面を摺動し、切欠部９ｃに係合され、マスク板９の自重落下が止まる。
【００５０】
ＦＰＤ４ａがＢ位置に、マスク板９が図９（ｂ）に示す位置に移動完了すると、再度、Ｘ線管１がＯＮとなり、２回目のＸ線撮影が行われる。２回目のＸ線撮影が完了すると、１回目の撮影完了後と同様の仕組みで、ＦＰＤ４ａはＢ位置からＣ位置に移動し、マスク板９は、図９（ｂ）に示す位置から図９（ｃ）に示す位置に自重落下により移動する。そして、３回目のＸ線撮影が行われ、全てのＸ線撮影が完了する。
【００５１】
以上の通り、本実施の形態１におけるデジタル式Ｘ線撮影装置は、長尺撮影時の分割撮影において、撮影毎に、マスク板４ａを光センサ１１の出力に応じて、自動で移動せしめることができる。従って、撮影毎に、マスク板９を手動でスライドさせる手間を必要とせず、Ｘ線撮影作業者の利便性が向上する。また、分割撮影毎にマスク板９を手動でスライドさせる時間を必要としない為、長尺撮影に要する時間の短縮化が図れる。更に、撮影中、患者５は、姿勢の静止を強いられるが、長尺撮影に要する時間の短縮化が図れたことにより、患者５の不自由さは低減され、画像のブレ、画像合成（画像の繋ぎ合わせ）時のズレも低減することができる。
【００５２】
また、本実施の形態１におけるデジタル式Ｘ線撮影装置は、導線１３ａ、１３ｂに電流を流す為の電力を、収納部３ａに備えられた電源（電池）から供給しており、かつ、Ｘ線曝射の有無（Ｘ線曝射信号）を、Ｘ線感知センサ１０を介して光センサ１１により検知している為、配線が不要であり、デジタル式Ｘ線撮影装置の設置の自由度が高まる。
【００５３】
実施の形態２．
上述した実施の形態１では、マスク板９の移動方向を重力方向とし、移動に際しては、自重落下する構成としたが、これに限られず、例えば、図１１に示す構成でも良い。
【００５４】
図１１は、本実施の形態２におけるマスク板移動手段の構造を示す概略図であり、実施の形態１におけるマスク板移動手段の変形例である。
【００５５】
図１１に示す通り、実施の形態１との相違点は、マスク板９の移動方向である。即ち、実施の形態１では、マスク板９が垂直方向（重力方向）に自重落下する構造であったが、本実施の形態２では、水平方向に移動（スライド）するものであり、その移動に必要な駆動力は、コイルスプリング１４により実現している。
【００５６】
実施の形態３．
上述した実施の形態１並びに実施の形態２においては、マスク板９を移動させる為の駆動力は、自重やバネ力で実現しており、即ち、当該駆動に必要な電力は不要な為、省電力化に有効な機構である。しかし、このような構成に限らず、例えば、図１２に示すような構成も成り立つことは言うまでもない。
【００５７】
図１２は、本実施の形態３におけるマスク板移動手段の構造を示す概略図であり、実施の形態２におけるマスク板移動手段の変形例である。
【００５８】
図１２に示す通り、実施の形態２との相違点は、マスク板９の移動機構である。即ち、実施の形態２では、マスク板９の移動をコイルスプリング１４により実現していたが、本実施の形態３では、歯車の係合とモータ駆動により実現している。
【００５９】
この場合、実施の形態１や実施の形態２と比して、省電力化という面の効果は薄れるが、その他については、実施の形態１や実施の形態２と同様の効果を得ることができる。
【００６０】
尚、本実施の形態３では、マスク板９の移動方向を水平方向としたが、実施の形態１と同様に垂直方向でも、マスク板の移動を、歯車の係合とモータ駆動により実現できることは言うまでもない。
【００６１】
実施の形態４．
上述した実施の形態３では、マスク板９の移動を、歯車の係合とモータ駆動により実現したが、これに限られず、例えば、図１３に示す構成でも良い。
【００６２】
図１３は、本実施の形態４におけるマスク板移動手段の構造を示す概略図であり、実施の形態３におけるマスク板移動手段の変形例である。
【００６３】
図１３に示す通り、実施の形態３との相違点は、マスク板９の移動機構である。即ち、実施の形態３では、マスク板９の移動を、歯車の係合とモータ駆動により実現したが、本実施の形態４では、ベルトとプーリとモータにより実現している。
【図面の簡単な説明】
【００６４】
【図１】本発明を実施する為の実施の形態１におけるデジタル式Ｘ線撮影装置を用いた被写体（患者）の撮影状態を示す全体概略図である。
【図２】（ａ）は、患者台４の斜視図である。（ｂ）は、患者台４の裏面から見たＦＰＤ４ａの駆動機構を示す概念図である。
【図３】ＦＰＤ４ａとＦＰＤ架台４ｂの接続状態を示す概念図である。
【図４】コリメーター２の斜視図である。
【図５】自動絞りユニット３の斜視図である。
【図６】自動絞りユニット３の断面図である。
【図７】保持板３ｄの斜視図である。
【図８】Ｘ線感知センサ１０並びに光センサ１１の構成図である。
【図９】マスク板移動手段の構造を示す概略図である。
【図１０】Ｘ線管１からのＸ線曝射、ＦＰＤ４ａの駆動（上下移動）、光センサ１１からの出力、導線１３ａ、１３ｂの電流ＯＮ／ＯＦＦ、並びにマスク板９の位置を示すタイミングチャート図である。
【図１１】本実施の形態２におけるマスク板移動手段の構造を示す概略図である。
【図１２】本実施の形態３におけるマスク板移動手段の構造を示す概略図である。
【図１３】本実施の形態４におけるマスク板移動手段の構造を示す概略図である。
【符号の説明】
【００６５】
１  Ｘ線管
２  コリメーター
４ａ  ＦＰＤ
９  マスク板
９ａ  照射口
９ｂ、９ｃ、９ｄ  切欠部
１０  Ｘ線感知センサ
１０ａ  基材
１０ｂ  Ｘ線用蛍光体
１２ａ、１２ｂ  係合部
【図１】
2008043576.tif 000003
【図２】
2008043576.tif 000004
【図３】
2008043576.tif 000005
【図４】
2008043576.tif 000006
【図５】
2008043576.tif 000007
【図６】
2008043576.tif 000008
【図７】
2008043576.tif 000009
【図８】
2008043576.tif 000010
【図９】
2008043576.tif 000011
【図１０】
2008043576.tif 000012
【図１１】
2008043576.tif 000013
【図１２】
2008043576.tif 000014
【図１３】
2008043576.tif 000015